(57)【要約】      （修正有）【課題】工作機械の高速化に対応可能な衝撃吸収装置を設えた高速対応テレスコピックカバーを提供する。【解決手段】互いにはめ込まれた複数のボックス間を連結する連鎖装置Ｄが設置されたテレスコピックカバーに、伸縮時の更なる衝撃吸収緩和をする目的で鋼管或は樹脂を躯体とする油圧・空気圧・バネ圧及びゴム弾性体又はその複合体から成る衝撃吸収機構Ｃを備えた衝撃吸収装置Ｂを複合し、それらの衝撃吸収装置Ｂは、互いに交差し係止点Ｂ３を設けて一体化させる。【選択図】図２
0003146083.tif 000002
【実用新案登録請求の範囲】
【請求項１】
産業機械の摺動面保護カバーでマシニング等による切粉、切削水等の飛散を防御する目的の互いにはめ込まれた複数のボックスから成るテレスコピックカバーに於いて、各ボックス間を連結する連鎖装置Ｄで、所要の長さに加工された矩形平面の金属製板材から成るプレートに、センター部及び両サイド部にそれぞれセンター軸穴、サイド部軸穴の３つの軸穴を設けたプレートを少なくとも２枚重ね、その重ねたプレートのセンター部軸穴を貫通する金属製センターピンで係止してなる部品を複数個組立それぞれの重ねたプレートの先端部を交互に広げ、前記組立部品の相隣り合う両先端部を重ね、その重ねたサイド部軸穴間を貫通するサイドピンで係止してなる連鎖装置Ｄが設置されたテレスコピックカバーに伸縮時の更なる衝撃吸収緩和をする目的で鋼管或は樹脂を躯体とする油圧・空気圧・バネ圧及びゴム弾性体又はその複合体から成る衝撃吸収機構Ｃを備えた衝撃吸収装置Ｂを複合し、それらの衝撃吸収装置Ｂは、図４に示す如く交差しかつ個々に係止点Ｂ３を設けた事を特徴とする高速対応テレスコピックカバーＡ。
【考案の詳細な説明】
【技術分野】
【０００１】  本考案は、主として工作機械の保護カバー、その他一般産業機械の保護カバーとして活用するものに関する。
【背景技術】
【０００２】  従来、高速マシニング等に使用するテレスコピックカバーＡ１は、互いにはめ込まれた複数のボックスから構成され、各ボックス間を連結する連鎖装置Ｄで、所要の長さに加工された矩形平面の金属製板材から成る連鎖装置Ｄを有し、伸縮時に於ける各ボックスの衝突を連鎖装置Ｄにて制御していた。【０００３】  その結果、高速運転を繰り返した場合、連鎖装置Ｄに加工されたセンター軸穴、サイド軸穴及び、前記軸穴を貫通して係止する金属製センターピン・サイドピンに過負荷を生じ、テレスコピックカバーの寿命低下に繋がっていた。これらの問題を解決する為、連鎖装置Ｄへの表面硬化やブッシュの圧入等の実用新案番号第３０４７８８３号及び第３０４９６８８号を本出願者は考案している。【０００４】  しかしながら、始動・停止を高速及び高加速度で繰り返す工作機械等では、連鎖装置Ｄへの負荷は著しく顕著なものとなり剛性面でも強固なものにする必要が生じ、前記、解決策では限界があった。
【考案の開示】
【考案が解決しようとする課題】
【０００５】  工作機械及びその他一般産業用機械は、近年高速化・高加速度化する時代ニーズに対応すべく高速時にも安定し破損しにくい保護カバーの開発が必要であった。
【課題を解決するための手段】
【０００６】  かかる欠点を解消するため本考案者は鋭意改良を重ね、連鎖装置Ｄを有するテレスコピックカバーに衝撃吸収装置Ｂとして鋼管或は樹脂を躯体とする油圧・空気圧・バネ圧及びゴム弾性体又はその複合体から成る衝撃吸収機構Ｃを備えた衝撃吸収装置Ｂを複合する画期的な方法により、問題を解決すると共に実用上優れた性能を発揮する高速対応テレスコピックカバーＡを開発した。その内容について以下、図面に沿って説明する。
【実施例】
【０００７】  請求項１に記載の高速対応テレスコピックカバーＡの組付図を図１に示す。図２及び図４に本考案の主体となす衝撃吸収装置Ｂの平面図を示す。【０００８】  請求項１に記載のテレスコピックカバー図１及び図２に於いて、互いにはめ込まれた複数のボックスから成るテレスコピックカバーに於いて、各ボックス間を連結する連鎖装置Ｄで、所要の長さに加工された矩形平面の金属製板材から成る連鎖装置Ｄを有したテレスコピックカバーに伸縮時の更なる衝撃吸収緩和をする目的で鋼管或は樹脂を躯体とする油圧・空気圧・バネ圧及びゴム弾性体又はその複合体から成る衝撃吸収機構Ｃを備えた衝撃吸収装置Ｂを複合し、それらの衝撃吸収装置Ｂは、図４に示す如く交差しかつ個々に係止点Ｂ３を設けた事を特徴とする高速対応テレスコピックカバーＡ。【０００９】  次に、請求項１の組立方法について図２により説明する。各ボックス間を連結する連鎖装置Ｄに関しては省略するが、各ボックスに設けられたプレートＰの衝撃吸収装置取付板Ｂ２に衝撃吸収装置Ｂの衝撃吸収装置両端取付部Ｂ１をボルト・リベット或はピン等を用いて係止する。この時、各ボックスに設けられた衝撃吸収装置取付板Ｂ２に係止する際、一方は、右側。一方は左側となる様、対角に設置して成る高速対応テレスコピックカバーＡ。
【考案の効果】
【００１０】  本考案により、高速伸縮時に於いても安定したテレスコピックカバーの製作に成功した。特に、連鎖装置Ｄ及び衝撃吸収装置Ｂの両方の相乗効果を得る事が出来、社内試験に於いては、速度２００ｍ毎分・加速度２．０Ｇの高負荷状態でも優れた直進安定性・停止性能を示した。
【図面の簡単な説明】
【図１】  高速対応テレスコピックカバー斜視図
【図２】  高速対応テレスコピックカバー平面図
【図３】  連鎖装置付きのテレスコピックカバー斜視図
【図４】  衝撃吸収装置
【符号の説明】
Ａ    高速対応テレスコピックカバー
Ａ１  連鎖装置付きテレスコピックカバー
Ｂ    衝撃吸収装置
Ｂ１  衝撃吸収装置両端取付部
Ｂ２  衝撃吸収装置取付板
Ｂ３  係止点
Ｃ    衝撃吸収機構
Ｄ    連鎖装置
Ｐ    プレート
Ｗ    ワイパー
【図１】
0003146083.tif 000003
【図２】
0003146083.tif 000004
【図３】
0003146083.tif 000005
【図４】
0003146083.tif 000006
【手続補正書】
【提出日】平成20年4月10日(2008.4.10)
【手続補正１】
【補正対象書類名】実用新案登録請求の範囲
【補正対象項目名】全文
【補正方法】変更
【補正の内容】
【実用新案登録請求の範囲】
【請求項１】
産業機械の摺動面保護カバーでマシニング等による切粉、切削水等の飛散を防御する目的の互いにはめ込まれた複数のボックスから成るテレスコピックカバーに於いて、各ボックス間を連結する連鎖装置Ｄで、所要の長さに加工された矩形平面の金属製板材から成るプレートに、センター部及び両サイド部にそれぞれセンター軸穴、サイド部軸穴の３つの軸穴を設けたプレートを少なくとも２枚重ね、その重ねたプレートのセンター部軸穴を貫通する金属製センターピンで係止してなる部品を複数個組立それぞれの重ねたプレートの先端部を交互に広げ、前記組立部品の相隣り合う両先端部を重ね、その重ねたサイド部軸穴間を貫通するサイドピンで係止してなる連鎖装置Ｄが設置されたテレスコピックカバーに伸縮時の更なる衝撃吸収緩和をする目的で鋼管或は樹脂を躯体とする油圧・空気圧・バネ圧及びゴム弾性体又はその複合体から成る衝撃吸収機構Ｃを備えた衝撃吸収装置Ｂを複合し、それらの衝撃吸収装置Ｂは、互いに交差し係止点Ｂ３を設けた事により一体化させた事を特徴とする図４の衝撃吸収装置Ｂを設置して成る高速対応テレスコピックカバーＡ。
【手続補正２】
【補正対象書類名】明細書
【補正対象項目名】０００８
【補正方法】変更
【補正の内容】
【０００８】  請求項１に記載のテレスコピックカバー図１及び図２に於いて、互いにはめ込まれた複数のボックスから成るテレスコピックカバーに於いて、各ボックス間を連結する連鎖装置Ｄで、所要の長さに加工された矩形平面の金属製板材から成る連鎖装置Ｄを有したテレスコピックカバーに伸縮時の更なる衝撃吸収緩和をする目的で鋼管或は樹脂を躯体とする油圧・空気圧・バネ圧及びゴム弾性体又はその複合体から成る衝撃吸収機構Ｃを備えた衝撃吸収装置Ｂを複合し、それらの衝撃吸収装置Ｂは、互いに交差し係止点Ｂ３を設けた事により一体化させた事を特徴とする図４の衝撃吸収装置Ｂを設置して成る高速対応テレスコピックカバーＡ。
【手続補正書】
【提出日】平成20年7月31日(2008.7.31)
【手続補正１】
【補正対象書類名】実用新案登録請求の範囲
【補正対象項目名】請求項１
【補正方法】変更
【補正の内容】
【請求項１】
産業機械の摺動面保護カバーでマシニング等による切粉、切削水等の飛散を防御する目的の互いにはめ込まれた複数のボックスから成るテレスコピックカバーに於いて、各ボックス間を連結する連鎖装置Ｄで、所要の長さに加工された矩形平面の金属製板材から成るプレートに、センター部及び両サイド部にそれぞれセンター軸穴、サイド部軸穴の３つの軸穴を設けたプレートを少なくとも２枚重ね、その重ねたプレートのセンター部軸穴を貫通する金属製センターピンで係止してなる部品を複数個組立それぞれの重ねたプレートの先端部を交互に広げ、前記組立部品の相隣り合う両先端部を重ね、その重ねたサイド部軸穴間を貫通するサイドピンで係止してなる連鎖装置Ｄが設置されたテレスコピックカバーに伸縮時の更なる衝撃吸収緩和をする目的で鋼管或は樹脂を躯体とする油圧・空気圧・バネ圧及びゴム弾性体又はその複合体から成る衝撃吸収機構Ｃを備えた衝撃吸収装置Ｂを複合し、それらの衝撃吸収装置Ｂは、互いに交差し係止点Ｂ３を設けた事により一体化させた事を特徴とする衝撃吸収装置Ｂを設置して成る高速対応テレスコピックカバーＡ。